(57)【要約】【課題】患者の咬合による咬合採得用具の貫通や破断を防止し、かつ、咬合状態における下顎のずれを防止することができる咬合採得用具を提供すること。【解決手段】咬合採得用具１は、平坦な芯材２と、該芯材２の一方の面に位置する第１の採得層３と、該芯材２の他方の面に位置する第２の採得層４とを備え、該芯材２は、上下の歯の傾斜面で生じるスライドを防止するためのスライド防止手段を備えている。このスライド防止手段は、金網である芯材２の各線材の屈曲部である。この屈曲部により、上下の歯の傾斜面による下顎のスライドが防止され、ずれのない歯型を採取することができる。第１の採得層３と第２の採得層４は、芯材２の一部または全部を包含するパラフィンまたはワックスから成り、一体的になっている。【選択図】  図１
2005261510.tif 000002
【特許請求の範囲】
【請求項１】
平坦な芯材と、該芯材の一方の面に位置する第１の採得層と、該芯材の他方の面に位置する第２の採得層とを備え、該芯材は、上下の歯の傾斜面で生じるスライドを防止するためのスライド防止手段を備えていることを特徴とする咬合採得用具。
【請求項２】
前記芯材は、網組みされた金網であり、前記スライド防止手段は、該金網を構成する各線材の屈曲部分である請求項１記載の咬合採得用具。
【請求項３】
前記芯材は、シート状であり、前記スライド防止手段は、該シート状部材の表裏面に複数設けた小突起である請求項１記載の咬合採得用具。
【請求項４】
前記芯材は、シート状であり、前記スライド防止手段は、該シート状部材に設けた複数の小孔である請求項１記載の咬合採得用具。
【請求項５】
前記第１の採得層と前記第２の採得層は、前記芯材の一部または全部を包含するパラフィンまたはワックスから成り、一体的になっている請求項１ないし４のいずれかに記載の咬合採得用具。
【発明の詳細な説明】
【技術分野】
【０００１】
本発明は、歯科治療に用いる咬合採得用具に関する。
【背景技術】
【０００２】
従来、患者の咬合状態を調べるためにワックスによる咬合採得が行われていた。しかし、患者の咬合によりワックスが噛み切られやすく、患部の形状再現が困難になるという問題点があった。この問題を解決するために、実用新案公開公報昭和５４年第８９０９３号は、ワックスの中心部に金属箔を挟む構造を有する咬合採得用ワックスを開示している。
【０００３】
この咬合採得用ワックスは、金属箔の表裏面にそれぞれワックス層を設け、上層のワックスと下層のワックスにより咬合状態を採取する。中央部の金属箔は柔軟性を備えているために、患者の咬合状態に対応して変形可能であり、正確な咬合採得を実現する。また、この金属箔は非破断性を備えているため、患者の歯（義歯を含む）が上層及び下層のワックス層を貫通しワックス全体が破断することを防止する。
【発明の開示】
【発明が解決しようとする課題】
【０００４】
しかし、上記の咬合採得用ワックスは、患者がワックスを強く噛んだ場合、患者の下顎がずれて正しい噛み合わせの位置からずれるという問題点があった。この下顎のずれは、上下の歯の接触面が傾斜している場合に顕著に生じる。即ち、上記の咬合採得用ワックスでは、接触面に傾斜がある上下の歯が金属箔に接触すると、下方の歯の接触面が金属箔の表面を滑り、下顎が上方斜め方向へ移動する。このため、歯科医師や歯科技工士は、この噛み合わせの誤差を修正して咬合状態を把握する必要があった。
【０００５】
本発明は、上記問題点に鑑み、患者の咬合による咬合採得用具の貫通や破断を防止し、かつ、咬合状態における下顎のずれを防止することができる咬合採得用具を提供することを目的とする。
【課題を解決するための手段】
【０００６】
本発明の咬合採得用具は、平坦な芯材と、該芯材の一方の面に位置する第１の採得層と、該芯材の他方の面に位置する第２の採得層とを備え、該芯材は、上下の歯の傾斜面で生じるスライドを防止するためのスライド防止手段を備えていることを特徴とする。
【０００７】
本発明の咬合採得用具は、スライド防止手段を設けた芯材を備えているため、患者が強く咬合した際の咬合採得用具の貫通や破断を防止するとともに、上下の歯の傾斜面で生じるスライドを防止することにより下顎のずれを防止しすることができる。このため、噛み合せの誤差のない歯型の取得を実現することができる。
【０００８】
また、本発明の咬合採得用具は、前記芯材が、網組みされた金網であり、前記スライド防止手段が、該金網を構成する各線材の屈曲部分であることが好ましい。
【０００９】
本発明によれば、芯材を網組みされた金網により構成するため、製造コストが低廉であり、さらに、金網を構成する各線材の直径により、各患者において望ましい咬合状態における上下の歯の距離を調整することができる。
【００１０】
また、本発明の咬合採得用具は、前記芯材が、シート状であり、前記スライド防止手段が、該シート状部材の表裏面に複数設けた小突起であることが好ましい。
【００１１】
また、本発明の咬合採得用具は、前記芯材が、シート状であり、前記スライド防止手段が、該シート状部材に設けた複数の小孔であることが好ましい。
【００１２】
また、本発明の咬合採得用具は、前記第１の採得層と前記第２の採得層が前記芯材の一部または全部を包含するパラフィンまたはワックスから成り、一体的になっていることが好ましい。
【発明を実施するための最良の形態】
【００１３】
以下、本発明の咬合採得用具の好適な実施形態を詳細に説明する。図１は、本発明の咬合採得用具１の平面図（ａ）と正面図（ｂ）である。また、図２は、図１に示す咬合採得用具１の拡大断面斜視図である。この咬合採得用具１は、中央部に配設した平坦な網状の芯材２と、該芯材２の一方の面に位置する第１の採得層（上部採得層）３と、該芯材の他方の面に位置する第２の採得層（下部採得層）４とから構成されている。
【００１４】
本実施形態において、芯材２は、多数の格子状の編組み２１を備えた金網である。網組みされているため、金網を構成する各線材は、図２に示すように屈曲している。このため、これら屈曲部分は、それぞれ、金網面に対して多数の小さな凹凸を形成している。
【００１５】
この金網の金属材料は、咬合により破断しない強度を確保できるのであれば、その金属の種類を問わない。また、編組みを構成する各線材の直径は、各患者において望ましい咬合状態における上歯と下歯の距離に応じて決定される。
【００１６】
上部採得層３と下部採得層４は、好ましくは、ワックス又はパラフィンワックスと呼ばれている物質から成るものであり、前記芯材２の一部または全部を包含するように一体的に設けられている。これらの物質は温熱により軟化させ使用する。しかし、咬合採得を可能とする可塑性を備えた物質であれば、その物質の種類を問わない。
【００１７】
次に、図３ないし図４を参照しつつ、本実施形態の作用効果を説明する。図３（ａ）は、患者の上顎臼歯１０と下顎臼歯１１の患者にとって正しい咬合位置を示した説明図である。しかし、患者が力を入れて咬合すると、上顎臼歯１０の傾斜面１２に沿って下顎臼歯１１の傾斜面１３がスライドしてゆき、図３（ｂ）に示すように、ずれた咬合位置へ下顎が移動する。これは、図３（ａ）に示す正しい咬合状態の基準線１４が、図３（ｂ）において矢印方向（上方斜め方向）へずれていることにより理解できる。
【００１８】
図４（ａ）は、患者の上顎臼歯１０と下顎臼歯１１との間に、本実施形態の咬合採得用具１を挿入した状態を示す。患者が咬合を開始すると、図４（ｂ）に示すように、上部採得層３により上顎臼歯１０の歯型が、また、下部採得層４により下顎臼歯１１の歯型が取得されてゆく。さらに、患者が強く咬合をすると、上顎臼歯１０の傾斜面１２と下顎臼歯１１の傾斜面１３が、それぞれ、芯材２に当接する。
【００１９】
この芯材２の表面には、網組みにより形成された線材の小さな凹凸が多数存在するため、臼歯１０、１１の傾斜面１２、１３は、これらの凹凸に引っ掛かり、傾斜面で生じるスライドによる下顎のずれを防止することができる。図４（ｂ）において、正しい咬合状態を示す基準線１４が互いにずれていないことは、下顎のずれが生じていないことを示している。さらに、この芯材２は、金網で形成されているため、患者が強く咬合した場合でも、変形するだけで破断しない。このため、患者の歯の貫通による咬合採得用具の破損を防止することができる。
【００２０】
なお、上記の作用効果の説明は下顎の変位を防止するという点から説明したが、義歯における変位も防止することができる。すなわち、義歯の場合、装着した際に義歯が歯肉粘膜から浮き上がり、義歯と歯肉粘膜との間に間隙が生じた不適切な状態で装着されることがある。そして、そのような不適切な義歯の装着状態で従来のワックスを用いて噛み合せを調べると、不適切な装着状態であるにもかかわらず、ワックスに正常の咬合がなされているような歯型が付き、あたかも正常な噛み合せがなされているかの如く見える場合がある。しかしながら、本発明の咬合採得用具を用いれば、金網などの芯材が埋設されていることから、咬合した際に義歯が押し戻され、義歯の歯肉粘膜からの浮き上がりが修復され、実際の義歯の噛み合せ状態を取得することができる。
【００２１】
本実施形態から理解できるように、芯材の形状は網状であることが好ましいが、上下の歯の傾斜面で生じるスライドを防止できるのであれば、その形状を問わない。本実施形態において、金網を構成する各線材の屈曲部分は、上下の歯のスライド防止手段をなしている。
【００２２】
このようなスライド防止手段は、シート状の芯材の表裏面に無数に設けた小さな突起等から構成することも可能である。また、スライド防止手段は芯材に対する付加物に限られず、芯材そのものの構造により実現することも可能である。例えば、シート状の芯材に無数の小さな孔を設け、この孔の縁部分に歯の傾斜面を引っ掛けることによりスライド防止を図るものであっても良い。これらの芯材の材料は、咬合により破断しない強度を確保できるのであれば材料物質は限定されず、例えば、合成樹脂製シートや紙などの繊維層を備えたシート等により構成することも可能である。これら芯材の厚さも各患者において望ましい咬合状態における上歯と下歯の距離に応じて決定される。
【図面の簡単な説明】
【００２３】
【図１】本発明の咬合採得用具を示す説明図であり、図１（ａ）は平面図を、図１（ｂ）は正面図を示している。なお、図１（ａ）において、芯材２は破線で示されている。
【図２】図１に示す咬合採得用具の拡大断面視図である。断面においては上部採得層３と下部採得層４が一部除去されている。
【図３】患者の上顎臼歯１０と下顎臼歯１１の位置関係を示す説明図であり、図３（ａ）は、患者にとっての正しい咬合位置を示し、図３（ｂ）は、患者が力を入れて咬合することにより下顎がずれた状態を示す。
【図４】図１に示す咬合採得用具を患者の口腔内へ挿入した状態を示す説明図であり、図４（ａ）は、咬合採得用具１をセットした状態を示し、図４（ｂ）は、咬合採得用具を患者が噛んだ状態を示す。
【符号の説明】
【００２４】
１  咬合採得用具
２  芯材
２１  網組み
３  第１の採得層（上部採得層）
４  第２の採得層（下部採得層）
１０  上顎臼歯
１１  下顎臼歯
１２、１３  傾斜面
１４  基準線
【図１】
2005261510.tif 000003
【図２】
2005261510.tif 000004
【図３】
2005261510.tif 000005
【図４】
2005261510.tif 000006